(57)【要約】【課題】  病室等で使用するテレビ装置として、テレビ本体を視聴位置から格納位置まで昇降可能としたものが提案されているが、従来では、ディスプレイの昇降操作とベッドの床部の操作は夫々独立して行う構成であるため操作が比較的煩わしい。また視聴位置におけるディスプレイの高さ調節はできないので、必ずしも最適な状態でテレビの視聴を行うことができず、長時間の視聴により疲労を生じてしまう。【解決手段】  そこで本発明では、ディスプレイ部８を視聴位置と格納位置の間に昇降可能に構成したテレビと、背床部３ａを上昇させて使用者を背上げ姿勢とすることが可能な電動ベッド１とを構成要素とし、これらを連動して操作可能とするテレビ視聴システムを提案している。【選択図】    図１
2006060350.tif 000002
【特許請求の範囲】
【請求項１】
少なくともディスプレイ部を視聴位置と格納位置の間に昇降可能に構成したテレビと、背床部を上昇させて使用者を背上げ姿勢とすることが可能な電動ベッドとを構成要素とし、テレビの視聴に際しての視聴操作手段の視聴開始操作により、テレビの少なくともディスプレイ部を格納位置から視聴位置に上昇させると共に、ベッドの床部を背上げ姿勢に移行させることを特徴とするテレビ視聴システム
【請求項２】
視聴操作手段の視聴終了操作により、テレビの少なくともディスプレイ部を視聴位置から格納位置に下降させると共に、ベッドの床部を元の状態に移行させることを特徴とする請求項１に記載のテレビ視聴システム
【請求項３】
テレビ視聴状態において、視聴位置のディスプレイ部の高さを、背上げ姿勢のベッドの背床部の状態から推定されるベッド使用者の目の高さに応じて昇降させて高さ調節を行うことを特徴とする請求項１又は２に記載のテレビ視聴システム
【請求項４】
ベッドの背床部の高さと、その傾斜角度とから、ディスプレイ部の高さを設定することを特徴とする請求項１〜３までのいずれか１項に記載のテレビ視聴システム
【請求項５】
視聴操作手段を、電動ベッドの床部操作手段と一体に構成したことを特徴とする請求項１〜４までのいずれか１項に記載のテレビ視聴システム
【発明の詳細な説明】
【技術分野】
【０００１】
本発明は、例えば病室等において、ベッドの使用者がベッド上で安楽にテレビの視聴を行えるようにするためのテレビ視聴システムに関するものである。
【背景技術】
【０００２】
従来、例えば病室等において、テレビはベッドの側方に配置したベッドサイドキャビネット等のテレビ台上に載置し、ベッドを背上げ姿勢として斜め方向の視線で視聴することが一般的であった。
【０００３】
これに対して、近来の薄型ディスプレイ部を有するテレビの伸展により、例えば特許文献１に示されるように、テレビをベッドのフットパネル側に配置して真正面から視聴できるようにすることが提案されている。即ち、この特許文献１には、ベッドのフットパネル内にテレビ等の薄型のディスプレイを昇降可能に設置し、ベッド上で横たわったまま又は背上げの姿勢で、ディスプレイの上昇又は下降を行うと共に、ディスプレイの制御機器を操作できるようにした薄型ディスプレイ装置が提案されている。この装置では、ディスプレイは、下方の格納位置から上方の格納位置に上昇させた後、上昇位置において角度が調節可能であるが、視聴位置における高さの調節は想定していない。
【特許文献１】特開２００２−１０１７４号公報
【発明の開示】
【発明が解決しようとする課題】
【０００４】
上記特許文献１の装置ではディスプレイの昇降操作とベッドの床部の操作は夫々独立して行う構成であるため操作が比較的煩わしい。またベッドを背上げの状態としてテレビの視聴を行う際、床部全体の高さや背床部の傾斜角度によっては使用者の目の高さが異なり、したがって見易く、疲労を生じないディスプレイの高さが異なる筈であるが、上記特許文献１では視聴位置におけるディスプレイの高さ調節はできないので、必ずしも最適な状態でテレビの視聴を行うことができず、長時間の視聴により疲労を生じてしまう。
【０００５】
このように従来は、ベッドの床部の状態、即ち使用者の姿勢に応じて、テレビのディスプレイの高さを調節するという発想は全くなかった。
そこで本発明は、このような課題を解決することを目的とするものである。
【課題を解決するための手段】
【０００６】
上述した課題を解決するために、本発明では、少なくともディスプレイ部を視聴位置と格納位置の間に昇降可能に構成したテレビと、背床部を上昇させて使用者を背上げ姿勢とすることが可能な電動ベッドとを構成要素とし、テレビの視聴に際しての視聴操作手段の視聴開始操作により、テレビの少なくともディスプレイ部を格納位置から視聴位置に上昇させると共に、ベッドの床部を背上げ姿勢に移行させる構成のテレビ視聴システムを提案する。
【０００７】
また本発明では上記のテレビ視聴システムにおいて、視聴操作手段の視聴終了操作により、テレビの少なくともディスプレイ部を視聴位置から格納位置に下降させると共に、ベッドの床部を元の姿勢に移行させる構成とすることを提案する。
【０００８】
また本発明では、以上のテレビ視聴システムにおいて、テレビ視聴状態において、視聴位置のディスプレイ部の高さを、背上げ姿勢のベッドの背床部の状態から推定されるベッド使用者の目の高さに応じて昇降させて高さ調節を行うことを提案する。
【０００９】
更に本発明では、以上のテレビ視聴システムにおいて、ベッドの背床部の高さと、その傾斜角度とから、ディスプレイ部の高さを推定することを提案する。
【００１０】
また本発明では、以上のテレビ視聴システムにおいて、視聴操作手段を、電動ベッドの床部操作手段と一体に構成することを提案する。
【発明の効果】
【００１１】
本発明のテレビ視聴システムでは、視聴操作手段の視聴開始操作により、少なくともディスプレイ部を、格納位置から視聴位置に上昇させ、この際、連動してベッドの床部も背上げ姿勢に移行させることができるので、簡単な操作でテレビとベッドの両方をテレビの視聴状態に移行することができる。
【００１２】
また本発明のテレビ視聴システムにおいて、視聴操作手段の視聴終了操作により、テレビの少なくともディスプレイ部を視聴位置から格納位置に下降させる際、ベッドの床部を元の状態に移行させることとすれば、ベッドの使用者はテレビ視聴後、簡単な操作で元の仰臥状態に戻ることができる。
【００１３】
以上のテレビの視聴操作手段は、電動ベッドの床部操作手段と一体に構成することにより、操作が容易となる。
【発明を実施するための最良の形態】
【００１４】
本発明のテレビ視聴システムの一つの形態においては、テレビの視聴状態において床部の昇降又は起伏を操作して、床部全体を昇降したり、背床部の傾斜角度を調整した場合には、それに伴うベッド使用者の目の高さの変化に追随してディスプレイ部の高さを調節することができるので、常時見易い最適な状態でテレビの視聴を行うことができ、長時間の視聴であっても疲労の発生を軽減することができる。
【実施例１】
【００１５】
次に本発明の実施例を添付図面を参照して説明する。
図１、図２は本発明に係るテレビ視聴システムの構成を概念的に示す斜視図である。
符号１は電動ベッド、２はベッドフレームであり、このベッドフレーム２に複数の床部３が起伏可能に支持されており、適宜の昇降起伏機構により床部３の起伏を行える構成としている。即ち、床部中、符号３ａは背床部、３ｂは足床部であり、図１では、背床部３ａを昇降機構により傾斜させて使用者を背上げ姿勢に支持すると共に、背上げ動作の中間の時点において足床部３ｂを上昇させて滑りを防止して安楽な姿勢となるようにしている。また図２では全ての床部３を下降させて平面状とした状態を示している。尚、図中、符号４は床部３上に敷いたマットレス、５はヘッドボードである。また、図１、図２においてはベッドフレーム２は固定脚６により一定の高さで支持される構成として描いているが、周知の昇降機構により、ベッドフレーム２を昇降可能な構成とすることができることは云うまでもないことである。
【００１６】
図１、図２に示されるように、本発明においては、ベッド１の足側に、本発明の構成要素であるテレビ装置７を設置している。この実施例では、テレビ装置７は、ディスプレイ部８を有するテレビ本体９と、テレビ本体９を格納可能なキャビネット１０とから構成している。このテレビ本体９は電動式の昇降機構により、図１に示されるように上昇した視聴位置から、図２に示されるように下降した格納位置に渡って昇降可能に構成している。そしてこの実施例では、テレビ本体９は、格納位置において全てがキャビネット１０内に格納されて、テレビ本体９とキャビネット１０の上面が同一面となるようにしている。
【００１７】
以上の構成において、図２に示すように全ての床部３が平面の状態でマットレス４上に寝ている使用者がテレビの視聴を望んだ場合において、遠隔操作可能な手元スイッチ等に設けた視聴操作手段により視聴開始操作を行うと、その視聴開始操作信号は、テレビ装置７の昇降機構と、電動ベッド１の床部３の昇降起伏機構に入力される。
【００１８】
この視聴開始操作信号により、テレビ装置７においては、その昇降機構によりテレビ本体９が図２に示す格納位置から図１に示す視聴位置まで上昇すると共に、電動ベッド１においては、昇降起伏機構により背床部３ａが上昇して、図１に示す背上げ姿勢に移行する。
【００１９】
こうして本発明では、簡単な操作でテレビ装置７とベッド１の両方をテレビの視聴状態に移行することができ、使用者はベッド上で安楽にテレビの視聴を行うことができる。
【００２０】
使用者がテレビの視聴を止めたい場合には、視聴操作手段により視聴終了操作を行うと、その視聴終了操作信号により、テレビ装置７の昇降機構が動作してテレビ本体９が図１に示す視聴位置から図２に示す格納位置まで下降して、キャビネット９内に格納されると共に、ベッド１の床部３の昇降起伏機構の動作により背床部３ａが下降して、図２に示すように床部３が平面状態に戻るので、使用者は元の仰臥状態に戻ることができる。
【００２１】
尚、上記視聴終了操作においては、必要に応じてベッドの床部３の昇降起伏機構の連動操作を解除するように構成することができ、この構成では、ベッド１の床部３は背上げ状態としたまま、テレビ装置７のみを格納状態とすることができる。
【実施例２】
【００２２】
次に図３は以上に説明した本発明のシステムの操作・制御機構の構成の実施例を示すものである。
符号１１は床部昇降起伏機構、１２はこの床部昇降起伏機構１１を制御する床部昇降起伏制御装置、１３はこの床部昇降起伏制御装置１２に操作指令を発する床部昇降起伏操作用スイッチ群であり、床部昇降起伏機構１１には床部３の昇降起伏状態を検出する手段、この場合、床部３全体の高さと、背床部３ａの傾斜角度を検出可能な手段を設けている。この手段はセンサを用いたり、モータの回転数の積算量と床部昇降起伏機構の変位との対応関係を用いた手段等、適宜に構成することができる。
【００２３】
一方、符号１４は上述したようにテレビ本体９を図１に示されるように上昇した視聴位置から、図２に示されるように下降した格納位置に渡って昇降可能に構成するテレビ昇降機構であり、１５はこのテレビ昇降機構１４を制御するテレビ昇降制御装置、１６はこのテレビ昇降制御装置１５に操作指令を発するテレビ操作スイッチ群であり、この実施例では、このテレビ操作スイッチ１６群は、テレビ視聴スイッチ１７と昇降微調整スイッチ１８と連動切替えスイッチ１９とから構成している。
【００２４】
これらの床部昇降起伏機構操作用スイッチ群１３とテレビ操作スイッチ群１６は、個別に構成しても良いし、一体に構成することもできる。
【００２５】
以上に説明した操作・制御機構におけるテレビ昇降制御装置１５の動作例を図４に示す流れ図と図５〜図７の説明図を参照して説明する。
まず、図２に示すように全ての床部３が平面の状態でマットレス４上に寝ている使用者がテレビの視聴を望んだ場合、使用者はテレビ視聴スイッチ１７をＯＮとする。
【００２６】
ステップＳ１においてテレビ視聴スイッチ１７がＯＮとなったことを判定すると、次のステップＳ２に移行し、このステップＳ２では、テレビ昇降機構１４を制御してテレビ本体９を図２に示す格納位置から視聴を可能な初期位置まで上昇すると共に、床部昇降起伏制御装置１２に対して床部３をテレビの視聴姿勢にする指令を発する。この指令は図３の矢印Ａで示している。
【００２７】
このステップＳ２により、テレビ装置７においては、その昇降機構によりテレビ本体９が図２に示す格納位置から図１に示す視聴位置まで上昇すると共に、電動ベッド１においては、昇降起伏機構により背床部３ａが上昇して、図１に示す背上げ姿勢に移行する。
【００２８】
次いでステップＳ３では連動切替えスイッチ１９のＯＮ−ＯＦＦ状態を判定し、ＯＮの場合にはステップＳ４に移行し、ＯＦＦの場合にはステップＳ５に移行する。
【００２９】
ステップＳ５に移行した場合、即ち、連動切替えスイッチ１９がＯＦＦの場合には、ステップＳ５において昇降微調整スイッチ１８の操作に応じてテレビ本体９を昇降することができ、こうして使用者の好みに応じてテレビ本体９の高さを微調整することができる。
【００３０】
この昇降微調整スイッチ１８によるテレビ本体９の高さ調整は、ステップＳ６においてテレビ視聴スイッチ１７がＯＦＦとされたことを検出するまで随時行うことができる。
【００３１】
即ち、ステップＳ６においてテレビ視聴スイッチ１７がＯＦＦとされたことを検出した場合には、ステップＳ７に移行し、このステップＳ７においては、上記ステップＳ２と逆に、テレビ昇降機構１４を制御してテレビ本体９を図１に示す視聴位置から図２に示す格納位置まで下降すると共に、床部昇降起伏制御装置１２に対して図中矢印Ａで示す指令を発し、床部３を図２に示す元の平面状態まで下降する。
【００３２】
こうしてテレビ本体９が図１に示す視聴位置から図２に示す格納位置まで下降して、キャビネット９内に格納されると共に、ベッド１の床部３の昇降起伏機構の動作により背床部３ａが下降して、図２に示すように床部３が平面状態に戻るので、使用者は元の仰臥状態に戻ることができる。
【００３３】
一方、ステップＳ３において連動切替えスイッチ１９がＯＮと検出した場合には、上述したとおりステップＳ４に移行し、このステップＳ４において、床部昇降起伏制御装置１２からの床部３の昇降起伏状態信号（図３中矢印Ｂで示している。）からベッドの使用者の目の高さを推定する。
【００３４】
この使用者の目の高さはベッド１の背床部３ａの高さ、即ちベッドフレーム２の床面からの高さと、背床部３ａの傾斜角度とから、計算式又はデータテーブルを用いて推定することができ、この目の高さに対応してディスプレイ部８、従ってテレビ本体９の高さを設定する。
【００３５】
こうしてステップＳ４において推定した使用者の目に対応してディスプレイ部８、従ってテレビ本体９の高さを設定し、テレビ昇降機構１４を制御して、ディスプレイ部８、従ってテレビ本体９を設定した高さとなるまで昇降する。
【００３６】
図３中の矢印Ｂで示している、床部昇降起伏制御装置１２からテレビ昇降制御装置１５への床部３の昇降起伏状態信号の入力は常時行われているため、床部３の昇降起伏状態の変化はテレビ昇降制御装置１５において検出することができる。
【００３７】
使用者がベッドフレーム２を昇降させたり又は背床部３ａの傾斜角度を変えた場合には、ステップＳ９においてその変化を検出し、ステップＳ４に移行して、再びベッド１の背床部３ａの高さ、即ちベッドフレーム２の床面からの高さと、背床部３ａの傾斜角度とから使用者の目の高さを推定して、この推定した目の高さに対応してディスプレイ部８、従ってテレビ本体９の高さを設定する。
【００３８】
そしてステップＳ８において、テレビ昇降機構１４を制御して、ディスプレイ部８、従ってテレビ本体９を設定した高さとなるまで昇降する。
【００３９】
図５〜図７は、使用者がベッドフレーム２を昇降させたり又は背床部３ａの傾斜角度を変えた場合におけるテレビ本体９の昇降制御状態を示す説明図である。
【００４０】
即ち、図５はベッドフレーム２が最も下側に支持されている状態において、背床部３ａの傾斜角度を、最大には至らない中間の角度に維持している状態のテレビ本体９の高さを示すものであり、図６は、この図５の状態から背床部３ａの傾斜角度を更に急角度に変化させた状態を示すものである。
【００４１】
このようにベッドフレーム２を昇降させずに背床部３ａの傾斜角度を更に急角度に変化させた場合には、図６に示すように、使用者の目の高さが高くなるので、この目の高さの上昇に伴ってテレビ本体９も上昇している。
【００４２】
一方、図７は、図５の状態から背床部３ａの傾斜角度は変化させずに、ベッドフレーム２を上昇させた状態を示すものであり、この場合にも使用者の目の高さが高くなるので、この目の高さの上昇に伴ってテレビ本体９も上昇している。
【００４３】
以上の説明から明らかなように、図７の状態から背床部３ａの傾斜角度を図６に示すように更に急角度に変化させた場合には、使用者の目の高さが更に高くなるので、この目の高さの上昇に伴ってテレビ本体９も上昇することになる。
【００４４】
一方、床部３の昇降起伏状態が変化しない場合には、ステップＳ９からステップＳ１０に移行して、テレビ視聴スイッチ１７のＯＮ−ＯＦＦ状態を監視し、ＯＦＦと判定した場合には、ステップＳ７に移行して、上述したようにテレビ昇降機構１４を制御してテレビ本体９を図１に示す視聴位置から図２に示す格納位置まで下降すると共に、床部昇降起伏制御装置１２に対して図中矢印Ａで示す指令を発し、床部３を図２に示す元の平面状態まで下降する。
【００４５】
一方、テレビ視聴スイッチ１７がＯＮ状態を維持している場合には、ステップＳ９、ステップＳ１０を繰返して、床部３の昇降起伏状態の変化とテレビ視聴スイッチ１７のＯＮ−ＯＦＦ状態の監視を継続する。
【００４６】
以上に説明した図４の制御の流れでは、図３に示す連動切替えスイッチ１９がＯＮの場合において、床部３全体を昇降したり、背床部３ａの傾斜角度を調整した場合には、それに伴うベッド使用者の目の高さの変化に追随してディスプレイ部８、従ってテレビ本体９の高さを調節することができるのであるが、テレビ昇降制御装置１５において、このような連動の機能を有しない構成とすることもできる。
【実施例３】
【００４７】
即ち、図８は図３において連動切替えスイッチ１９を設けず、また床部昇降起伏制御装置１２からテレビ昇降制御装置１５への床部昇降起伏状態信号の入力もない構成における、テレビ昇降制御装置１５の制御動作例を示すものである。
【００４８】
ステップＳ２１においてテレビ視聴スイッチ１７がＯＮとなったことを判定すると、次のステップＳ２２に移行し、このステップＳ２２では、テレビ昇降機構１４を制御してテレビ本体９を図２に示す格納位置から視聴を可能な初期位置まで上昇すると共に、床部昇降起伏制御装置１２に対して床部３をテレビの視聴姿勢にする指令を発する。この指令は図３の矢印Ａで示している。
【００４９】
このステップＳ２２により、テレビ装置７においては、その昇降機構によりテレビ本体９が図２に示す格納位置から図１に示す視聴位置まで上昇すると共に、電動ベッド１においては、昇降起伏機構により背床部３ａが上昇して、図１に示す背上げ姿勢に移行する。
【００５０】
次いでステップＳ２２からステップＳ２３に移行し、ステップＳ２３において昇降微調整スイッチ１８の操作に応じてテレビ本体９を昇降することができ、こうして使用者の好みに応じてテレビ本体９の高さを微調整することができる。
【００５１】
この昇降微調整スイッチ１８によるテレビ本体９の高さ調整は、ステップＳ２４においてテレビ視聴スイッチ１７がＯＦＦとされたことを検出するまで随時行うことができる。
【００５２】
即ち、ステップＳ２４においてテレビ視聴スイッチ１７がＯＦＦとされたことを検出した場合には、ステップＳ２５に移行し、このステップＳ２５においては、上記ステップＳ２２と逆に、テレビ昇降機構１４を制御してテレビ本体９を図１に示す視聴位置から図２に示す格納位置まで下降すると共に、床部昇降起伏制御装置１２に対して図中矢印Ａで示す指令を発し、床部３を図２に示す元の平面状態まで下降する。
【００５３】
こうしてテレビ本体９が図１に示す視聴位置から図２に示す格納位置まで下降して、キャビネット９内に格納されると共に、ベッド１の床部３の昇降起伏機構の動作により背床部３ａが下降して、図２に示すように床部３が平面状態に戻るので、使用者は元の仰臥状態に戻ることができる。
【００５４】
尚、本発明において、テレビ装置７は、以上説明したようにベッド１の足側の正面側に配置する他、左右に適宜ずらして配置することもできるものである。
【産業上の利用可能性】
【００５５】
本発明は以上の通りであるので、産業上の利用において、次のような利点がある。
１．本発明のテレビ視聴システムでは、視聴操作手段の視聴開始操作により、少なくともディスプレイ部を、格納位置から視聴位置に上昇させ、この際、連動してベッドの床部も背上げ姿勢に移行させることができるので、簡単な操作でテレビとベッドの両方をテレビの視聴状態に移行することができる。
【００５６】
２．視聴操作手段の視聴終了操作により、テレビの少なくともディスプレイ部を視聴位置から格納位置に下降させる際、ベッドの床部を元の状態に移行させることとすれば、ベッドの使用者はテレビ視聴後、簡単な操作で元の仰臥状態に戻ることができる。
【００５７】
３．本発明のテレビ視聴システムの一つの形態においては、テレビの視聴状態において床部の昇降又は起伏を操作して、床部全体を昇降したり、背床部の傾斜角度を調整した場合には、それに伴うベッド使用者の目の高さの変化に追随してディスプレイ部の高さを調節することができるので、常時見易い最適な状態でテレビの視聴を行うことができ、長時間の視聴であっても疲労の発生を軽減することができる。
【００５８】
４．テレビの視聴操作手段は、電動ベッドの床部操作手段と一体に構成することにより、操作が容易となる。
【図面の簡単な説明】
【００５９】
【図１】本発明に係るテレビ視聴システムの構成を概念的に示す斜視図である。
【図２】本発明に係るテレビ視聴システムの構成を図１とは異なった局面において概念的に示す斜視図である。
【図３】本発明のシステムの操作・制御機構の構成の実施例を示す系統説明図である。
【図４】テレビ昇降制御装置の動作例を示す流れ図である。
【図５】ベッドの床部の状態とテレビ装置との関係を示す説明図である。
【図６】図５の状態から使用者が背床部の傾斜角度を急角度に変えた場合におけるテレビ本体の昇降制御状態を示す説明図である。
【図７】図５の状態から使用者がベッドフレームを上昇させた場合におけるテレビ本体の昇降制御状態を示す説明図である。
【図８】テレビ昇降制御装置の他の動作例を示す流れ図である。
【符号の説明】
【００６０】
１              電動ベッド
２              ベッドフレーム
３              床部
３ａ            背床部
３ｂ            足床部
４              マットレス
５              ヘッドボード
６              固定脚
７              テレビ装置
８              ディスプレイ部
９              テレビ本体
１０            キャビネット
１１            床部昇降起伏機構
１２            床部昇降起伏制御装置
１３            床部昇降起伏操作用スイッチ群
１４            テレビ昇降機構
１５            テレビ昇降制御装置
１６            テレビ操作スイッチ群
１７            テレビ視聴スイッチ
１８            昇降微調整スイッチ
１９            連動切替えスイッチ
【図１】
2006060350.tif 000003
【図２】
2006060350.tif 000004
【図３】
2006060350.tif 000005
【図４】
2006060350.tif 000006
【図５】
2006060350.tif 000007
【図６】
2006060350.tif 000008
【図７】
2006060350.tif 000009
【図８】
2006060350.tif 000010